(57)【要約】【課題】製造時間、工程及びコストを節約し、簡易し、ノートパソコンの厚みを薄くするノートパソコンの薄膜タッチキーボード構造を提供する。【解決手段】ノートパソコンの薄膜タッチキーボード構造は、パネル、センサー層、バックライト層及び底層を含み、パネルには複数のホットキーアイコン、キーパッド・アイコン、カーソルコントロール・アイコン、センサーキー・アイコンを備え、これらに対応するセンサー層の一第一センサーブロック、複数の第一電極ブロック、第二センサーブロック、第三電極ブロックもしくは第三センサーブロック、第四センサーブロックは、抵抗性もしくは容量性の薄膜構造で製造後、薄膜タッチキーボードとタッチパッドを整合して一つにし、ノートパソコンの厚みを大幅に下げる。パネル上の複数の前記アイコンの任意のキーをタッチすると、センサー層が感知され、センサー制御信号が発生してノートパソコンに出力して演算する。【選択図】図１
0003171486.tif 000002
【実用新案登録請求の範囲】
【請求項１】
ノートパソコンの薄膜タッチキーボード構造において、
キーパッド・アイコン及びカーソルコントロール・アイコンを備えるパネルと、
第一透明層及び第二透明層を備え、該第一透明層に第一正面及び第一背面を備え、該第一背面に複数の第一電極ブロック及び第二センサーブロックを備え、該複数の第一電極ブロックは該キーパッド・アイコンに対応し、該第二センサーブロックは該カーソルコントロール・アイコンに対応するもので、他に該第二透明層に第二正面及び第二背面を備え、該第二正面に複数の該第一電極ブロックに対応する第二電極ブロックを備え、該第二電極ブロックは凸体を備え、該凸体が該第一電極ブロックと該第二電極ブロックの対応する間に間隔を形成するセンサー層を含むことを特徴とするノートパソコンの薄膜タッチキーボード構造。
【請求項２】
前記パネルには、更に複数のホットキーアイコン及び少なくとも一センサーキー・アイコンを備え、該パネルは透明プラスチック薄片とすることを特徴とする請求項１記載のノートパソコンの薄膜タッチキーボード構造。
【請求項３】
前記キーパッド・アイコン、カーソルコントロール・アイコン、複数のホットキーアイコン及びセンサーキー・アイコンには、タッチ層を備え、該タッチ層は複数の凸型から構成されることを特徴とする請求項２記載のノートパソコンの薄膜タッチキーボード構造。
【請求項４】
前記第一透明層及び該第二透明層は、二透明プラスチック薄片から構成されることを特徴とする請求項３記載のノートパソコンの薄膜タッチキーボード構造。
【請求項５】
前記第一背面には、更に複数の第一センサーブロック、第三電極ブロックを備え、該複数の第一センサーブロックは該複数のホットキーアイコンに対応し、該第三電極ブロックは該センサーキー・アイコンに対応し、該第一センサーブロックは複数本の伝送線を連結することを特徴とする請求項４記載のノートパソコンの薄膜タッチキーボード構造。
【請求項６】
前記第二正面には、更に複数の該第三電極ブロックに対応する第二電極ブロックを備え、該第二電極ブロックは凸体を備え、該凸体が該第二電極ブロック、第三電極ブロックの対応する間に間隔を形成し、該複数の第二電極ブロックは電気連結し、該第二電極ブロックは複数本の信号伝送線を連結することを特徴とする請求項５記載のノートパソコンの薄膜タッチキーボード構造。
【請求項７】
前記複数の第一電極ブロックは、電気連結し、該第一電極ブロックは複数本の信号伝送線を連結することを特徴とする請求項６記載のノートパソコンの薄膜タッチキーボード構造。
【請求項８】
前記第三電極ブロックと該第一電極ブロックは、電気連結することを特徴とする請求項７記載のノートパソコンの薄膜タッチキーボード構造。
【請求項９】
前記薄膜タッチキーボード構造は、更にバックライト層を備え、該バックライト層は該センサー層下方に配置し、それは透明プラスチック薄片であり、複数の該第一センサーブロック及び第一電極ブロックと第二電極ブロックに対応する発光部品を備え、各該発光部品は電気連結し、且つ一本の電源伝送線が伸びることを特徴とする請求項８記載のノートパソコンの薄膜タッチキーボード構造。
【請求項１０】
前記発光部品は、発光ダイオード、電界発光もしくはＬＥＤバックライトユニットであることを特徴とする請求項９記載のノートパソコンの薄膜タッチキーボード構造。
【請求項１１】
前記薄膜タッチキーボード構造は、更に底層を備え、該底層は該パネル、センサー層及びバックライト層のアセンブリを載せるのに用いることを特徴とする請求項１０記載のノートパソコンの薄膜タッチキーボード構造。
【請求項１２】
ノートパソコンの薄膜タッチキーボード構造において、
キーパッド・アイコン及びカーソルコントロール・アイコンを備えるパネルと、
第一透明層を備え、該第一透明層には第一正面及び第一背面を備え、該第一背面に複数の第三センサーブロック及び第二センサーブロックを備え、該複数の第三センサーブロックは該キーパッド・アイコンに対応し、該第二センサーブロックは該カーソルコントロール・アイコンに対応するセンサー層を含むことを特徴とするノートパソコンの薄膜タッチキーボード構造。
【請求項１３】
前記パネルは、更に複数のホットキーアイコン及びセンサーキー・アイコンを備え、該パネルは透明プラスチック薄片とすることを特徴とする請求項１２記載のノートパソコンの薄膜タッチキーボード構造。
【請求項１４】
前記第一背面は、複数の第一センサーブロック及び第四センサーブロックを備え、該複数の第一センサーブロックは該複数のホットキーアイコンに対応し、該第四センサーブロックは該センサーキー・アイコンに対応し、該第一センサーブロックは複数本の伝送線を連結することを特徴とする請求項１３記載のノートパソコンの薄膜タッチキーボード構造。
【請求項１５】
前記複数の第三センサーブロックは電気連結し、該第三センサーブロックは複数本の信号伝送線を連結することを特徴とする請求項１４記載のノートパソコンの薄膜タッチキーボード構造。
【請求項１６】
前記第四センサーブロックと該第三センサーブロックは、電気連結することを特徴とする請求項１５記載のノートパソコンの薄膜タッチキーボード構造。
【請求項１７】
前記薄膜タッチキーボード構造は、更にバックライト層を備え、該バックライト層は該センサー層下方に配置し、それは透明プラスチック薄片を備え、該第一センサーブロック及び第三センサーブロックに対応する複数の発光部品を備え、該各該発光部品は電気連結し、且つ一本の電源伝送線が伸びることを特徴とする請求項１６記載のノートパソコンの薄膜タッチキーボード構造。
【請求項１８】
前記発光部品は、発光ダイオード、電界発光もしくはＬＥＤバックライトユニットとすることを特徴とする請求項１７記載のノートパソコンの薄膜タッチキーボード構造。
【請求項１９】
前記薄膜タッチキーボード構造は、更に底層を備え、該底層は該パネル、センサー層及びバックライト層のアセンブリを載せるのに用いることを特徴とする請求項１８記載のノートパソコンの薄膜タッチキーボード構造。
【請求項２０】
前記複数のホットキーアイコン、キーパッド・アイコン、カーソルコントロール・アイコン及び該センサーキー・アイコンは、表面上にタッチ層を設置し、該タッチ層は複数の凸型から構成されることを特徴とする請求項１９記載のノートパソコンの薄膜タッチキーボード構造。
【考案の詳細な説明】
【技術分野】
【０００１】
本考案は、パソコンに関するもので、特に薄膜タッチ式キーボード構造を備えたノートパソコンに係わる。
【背景技術】
【０００２】
キーボードは、デスクトップもしくはノートパソコンにとって、欠かせない周辺機器のひとつであり、ユーザーが入力したコマンドを実行する特定機能を備える。
【０００３】
現在、ノートパソコンで使用するキーボードは、タッチパッド(カーソルの移動を制御する)を備える他に、ファンクションキー、キーパッド及びホットキーは、すべてプレス式キーに属する。例として、該キーはキーキャップを備え、該キーキャップが押されると、該キーキャップ内部の構造は支持フレーム及びゴム弾性層を押し下げ、ゴム弾性層が薄膜式もしくは硬式のプリント基板を押し下げ、操作信号が発生してＰＣホスト内に入力される。
【０００４】
ノートパソコンのタッチパッド(カーソルの移動を制御する)とファンクションキー、キーパッド及びホットキーは、製造上、全て別々に製造する。製造後、それぞれを該ノートパソコン上に組み立てるので、時間と工程が多くなり、且つ複雑になる。
【０００５】
ノートパソコン上のキーボードのファンクションキー、キーパッド、ホットキーは、機械構造設計であるため、使用する時に押圧によって構造上の音が発生しやすい。更にキーの構造上長時間外力を受けることでキー本体が壊れやすくなり、操作信号が入力できなくなる。更にノートパソコン上のキーボードのファンクションキー、キーパッド、ホットキーは機械構造設計であるため、一定の高度を備え、キーボードをノートパソコンに設置する時、ノートパソコン本体に厚みが発生し、ユーザーは携帯しにくくなる。現代の電子製品は軽薄短小が潮流であるため、現代の製品に符合しない。
【先行技術文献】
【特許文献】
【０００６】
【特許文献１】特開２０１０−２０５７４
【考案の概要】
【考案が解決しようとする課題】
【０００７】
解決しようとする問題点は、全て別々に製造した後、それぞれを該ノートパソコン上に組み立てるので、時間と工程が多くなり、且つ複雑になる点である。
【課題を解決するための手段】
【０００８】
本考案は、パネル、センサー層、バックライト層及び底層を含む。該パネルには複数のホットキーアイコン、キーパッド・アイコン、カーソルコントロール・アイコン、センサーキー・アイコンを備える。該ホットキーアイコン、キーパッド・アイコン、カーソルコントロール・アイコン、センサーキー・アイコンに対応する該センサー層の一第一センサーブロック、複数の第一電極ブロック、一第二センサーブロック、一第三電極ブロックもしくは第三センサーブロック、第四センサーブロックは、抵抗性もしくは容量性の薄膜構造で製造後、ノートパソコンの薄膜タッチキーボードとタッチパッドを整合して一つにし、ノートパソコンの厚みを大幅に下げる。パネル上の該複数のホットキーアイコン、キーパッド・アイコン、カーソルコントロール・アイコンもしくはセンサーキー・アイコンの任意のキーをタッチすると、該センサー層が感知され、センサー制御信号が発生してノートパソコンに出力して演算することを最も主要な特徴とする。
【考案の効果】
【０００９】
本考案のノートパソコンの薄膜タッチキーボード構造は、製造時間、工程及びコストを更に節約して、簡易にする他に、にノートパソコンの厚みを更に薄くするという利点がある。
【図面の簡単な説明】
【００１０】
【図１】本考案のノートパソコン外観立体指示図である。
【図２】本考案の薄膜タッチキーボード構造外観指示図である。
【図３】本考案の薄膜タッチキーボード構造分解指示図である。
【図４】図３のセンサー層の第一透明層拡大指示図である。
【図５】図３のセンサー層の第二透明層拡大指示図である。
【図６】図３のバックライト層拡大指示図である。
【図７】図２の側断面指示図である。
【図８】図７の局部拡大指示図である。
【図９】本考案の他に一実施例分解指示図である。
【図１０】図９の側断面指示図である。
【考案を実施するための形態】
【００１１】
公知の問題を解決するため、本考案は薄膜タッチキーボードとタッチパッド(カーソルの移動を制御する)を整合して一つに合わせ、ノートパソコンのキーボード上の元のファンクションキー、キーパッド及びホットキーをすべてタッチセンサー式にする。それらに拠って、使用で発生する雑音を下げ、キーボード製造時にはタッチパッド、ファンクションキー、キーパッド及びホットキーを同時に製造し、製造時間、工程及びコストを更に節約して、簡易にする。更にノートパソコンの厚みを更に薄くすることで、現在の電子製品の軽薄短小の目的を達成することを本考案の主な目的とする。
【００１２】
上述の目的を達成するため、本考案ではノートパソコンの薄膜タッチキーボード構造を提供する。本考案は以下を含む。
【００１３】
パネルは、キーパッド・アイコン及びカーソルコントロール・アイコンを備える。
【００１４】
センサー層は、第一透明層及び第二透明層を備え、該第一透明層上には第一正面及び第一背面を備え、該第一背面上には複数の第一電極ブロック及び第二センサーブロックを備える。該複数の第一電極ブロックは該キーパッド・アイコンに対応し、該第二センサーブロックは該カーソルコントロール・アイコンに対応する。他に該第二透明層は第二正面及び第二背面を備え、該第二正面上には複数の該第一電極ブロックに対応する第二電極ブロックを備え、該第二電極ブロックは凸体を備え、該凸体が該第一電極ブロックと該第二電極ブロックの対応する間に間隔を形成する。
【００１５】
そのうち，該パネルは、更に複数のホットキーアイコン及び少なくとも一センサーキー・アイコンを備える。
そのうち，該キーパッド・アイコン、カーソルコントロール・アイコン、複数のホットキーアイコン及びセンサーキー・アイコンはタッチ層を備える。
そのうち、タッチ層は複数の凸型で構成される。
そのうち、該パネルは透明プラスチック薄片とする。
そのうち、該第一透明層及び該第二透明層は二透明プラスチック薄片から構成される。
そのうち、該第一背面上は更に複数の第一センサーブロック、一第三電極ブロックを備え、該複数の第一センサーブロックは該複数のホットキーアイコンに対応し、該第三電極ブロックは該センサーキー・アイコンに対応する。
そのうち、該第二正面には更に複数の該第三電極ブロックに対応する第二電極ブロックを備え、該第二電極ブロックは凸体を備え、該凸体が該第二電極ブロック、第三電極ブロックの対応する間に間隔を形成する。
そのうち、該第一センサーブロックは複数本の伝送線を連結する。
そのうち、該複数の第一電極ブロックは電気連結し、該第一電極ブロックは複数本の信号伝送線を連結する。
そのうち、該第三電極ブロックと該第一電極ブロックは電気連結する。
そのうち、該複数の第二電極ブロックは電気連結し、該第二電極ブロックは複数本の信号伝送線を連結する。
そのうち、更にバックライト層を備え、該バックライト層は該センサー層下方に配置し、透明プラスチック薄片とする。その上には複数の該第一センサーブロック及び第一電極ブロックと第二電極ブロックに対応する発光部品を備え、各該発光部品は電気連結し、且つ一本の電源伝送線が伸びる。
そのうち、該発光部品は発光ダイオード、電界発光もしくはＬＥＤバックライトユニットとする。
そのうち、更に底層を備え、該底層は該パネル、センサー層及びバックライト層のアセンブリを載せるのに用いる。
【００１６】
上述の目的を達成するため、本考案は更にノートパソコンの薄膜タッチキーボード構造を提供し、以下を含む。
【００１７】
パネルは、キーパッド・アイコン及びカーソルコントロール・アイコンを備える。
【００１８】
センサー層は、第一透明層を備え、該第一透明層には第一正面及び第一背面を備え、該第一背面上には複数の第三センサーブロック及び第二センサーブロックを備える。該複数の第三センサーブロックは該キーパッド・アイコンに対応し、該第二センサーブロックは該カーソルコントロール・アイコンに対応する。
【００１９】
そのうち、該パネルは更に複数のホットキーアイコン及び一センサーキー・アイコンを備える。
そのうち、該第一背面には複数の第一センサーブロック及び第四センサーブロックを備え、該複数の第一センサーブロックは該複数のホットキーアイコンに対応し、該第四センサーブロックは該センサーキー・アイコンに対応する。
そのうち、該パネルは透明プラスチック薄片とする。
そのうち、該第一センサーブロックは複数本の伝送線を連結する。
そのうち、該複数の第三センサーブロックは電気連結し、該第三センサーブロックは複数本の信号伝送線を連結する。
そのうち、該第四センサーブロックと該第三センサーブロックは電気連結する。
そのうち、更にバックライト層を備え、該バックライト層は該センサー層下方に配置し、それは透明プラスチック薄片を備え、それは該第一センサーブロック及び第三センサーブロックに対応する複数の発光部品を備え、該各該発光部品は電気連結して且つ一本の電源伝送線が伸びる。
そのうち、該発光部品は発光ダイオード、電界発光もしくはＬＥＤバックライトユニットとする。
そのうち、更に底層を備え、該底層は該パネル、センサー層及びバックライト層のアセンブリを載せるのに用いる。
そのうち、該複数のホットキーアイコン、キーパッド・アイコン、カーソルコントロール・アイコン及び該センサーキー・アイコンの表面にはタッチ層を設置する。
そのうち、該タッチ層は複数の凸型から構成される。
【実施例】
【００２０】
本考案の技術内容及び詳細な説明は、以下に図式と共に説明する。
【００２１】
図１、２、３に示すのは、本考案のノートパソコン外観及び薄膜タッチキーボード構造外観と分解指示図であり、図４、５は図３のセンサー層拡大指示図であり、図６は図３のバックライト層拡大指示図である。図に示すとおり、本考案はノートパソコン１０上に薄膜タッチキーボード２０，該薄膜タッチキーボード２０を備え、パネル１、センサー層２、バックライト層３及び底層４を含む。
【００２２】
該パネル１は透明プラスチック薄片で、その上には第一表面１１及び第二表面１２を備える。該第一表面１１には複数のホットキー(Hot key)アイコン１３、キーパッド・アイコン１４、カーソルコントロール・アイコン１５、センサーキー・アイコン(左、右キー・アイコン)１６を備える。該ホットキーアイコン１３はユーザーがタッチすると即座に該機能を実行するもので、例としてインターネットにアクセスする時、ユーザーはそのキーをタッチするだけでパソコンに接続できる。該キーパッド・アイコン１４はユーザーにコマンド操作を入力させるもので、例として各種符号、文字、字、字体の大きさ及び機能切換等を行う。該カーソルコントロール・アイコン１５はユーザーにカーソルの制御を提供し、センサーキー・アイコン１６はユーザーにクリック及び確認機能を提供する。他に、該複数のホットキー(Hot key)アイコン１３、キーパッド・アイコン１４、カーソルコントロール・アイコン１５及び該センサーキー・アイコン(左、右キー・アイコン)１６の表面にはタッチ層１７を設置し、該タッチ層１７はユーザーがキーに触れる感覚を提供する。当図式に於いて、該タッチ層１７は複数の凸型から構成される。
【００２３】
該センサー層２は、該パネル１下方に配置し、それは二透明プラスチック薄片で成形された第一透明層２１及び第二透明層２２から構成される。該第一透明層２１には第一正面２１１及び第一背面２１２を備える。該第一背面２１２は複数の一第一センサーブロック２１３、複数の第一電極ブロック２１４、第二センサーブロック２１５、第三電極ブロック２１６を備える。該複数の第一センサーブロック２１３は該複数のホットキーアイコン１３に対応し、且つ該第一センサーブロック２１３は複数本の伝送線２１３aに連結する。該複数の第一電極ブロック２１４は電気連接し、該第一電極ブロック２１４は複数本の信号伝送線２１４aにも連結し、該複数の第一電極ブロック２１４は該キーパッド・アイコン１４に対応する。該第二センサーブロック２１５は該カーソルコントロール・アイコン１５に対応する。該第三電極ブロック２１６は該第一電極ブロック２１４と電気連結し、該第三電極ブロック２１６は該センサーキー・アイコン１６に対応する。他に該第二透明層２２は第二正面２２１及び第二背面２２２を備え、該第二正面２２１には複数の第二電極ブロック２２３を備え、該第二電極ブロック２２３は電気連結し、該第二電極ブロック２２３は少なくとも一本の信号伝送線２２４に連結する。該複数の第二電極ブロック２２３は他に該第一電極ブロック２１４、第三電極ブロック２１６に対応し、該第二電極ブロック２２３には凸体２２５を備え、該凸体２２５は該第一電極ブロック２１４、第三電極ブロック２１６と該第二電極ブロック２２３が対応する間に間隔を形成する。
【００２４】
該バックライト層３は、該センサー層２下方に配置し、それは透明プラスチック薄片とする。そこには複数の該第一センサーブロック２１３及び第一電極ブロック２１４と第二電極ブロック２２３に対応する発光部品３１を備え、各該発光部品３１は電気連結し、且つ一本の電源伝送線３２が伸びる。当図式に於いて、該第一発光部品３１１及び第二発光部品３２１は発光ダイオード(LED)、電界発光(EL)もしくは発光ダイオード(LED)バックライトユニットとする。
【００２５】
該底層４は、該パネル１、センサー層２及びバックライト層３のアセンブリに載せるのに用いる。
【００２６】
上述の第一センサーブロック２１３、第二センサーブロック２１５は全て容量性のタッチセンサー部品であり、該第一電極ブロック２１４、第三電極ブロック２１６は該第二電極ブロック２２３に対応して抵抗性センサー部品を形成する。
【００２７】
図７、８は、図２の側断面及び図７の局部拡大指示図である。図に示すとおり、ユーザーが入力操作を実行する時、指でパネル１上のホットキーアイコン１３、キーパッド・アイコン１４、カーソルコントロール・アイコン１５及び該センサーキー・アイコン(左、右キー・アイコン)１６の任意のキーにタッチすると、ユーザーは該ホットキーアイコン１３、キーパッド・アイコン１４、カーソルコントロール・アイコン１５及び該センサーキー・アイコン(左、右キー・アイコン)１６表面上のタッチ層１７に触れ、ユーザーはキーに触れたように感じる。
【００２８】
指でパネル１上のホットキーアイコン１３をタッチすると、該第一センサーブロック２１３が感知し、該第一センサーブロック２１３が感知した信号が伝送線２１３aから送り出され、該ホットキー(hot key)の機能を即座に実行する。
【００２９】
該ユーザーの指でキーパッド・アイコン１４の任意のキーをタッチすると、該第一電極ブロック２１４と該第二電極ブロック２２３が接触し、即座に信号伝送線２１４a、２２４を通して信号が伝送され、各種符号、文字、数字、字体の大きさ及び機能切換等を実行する。
【００３０】
ユーザーの指でカーソルコントロール・アイコン１５上を滑らすと、第二センサーブロック２１５が感知し、信号をＰＣホスト(図未提示)上に伝送し、即座にカーソルの移動を制御する。予め実行するアイコン(icon)上でカーソル移動を制御する場合、第三電極ブロック２１６と第二電極ブロック２２３でセンサーキー・アイコン１６に触れると、即座に該アイコンのクリック機能を実行する。
【００３１】
薄膜タッチキーボード２０を該ノートパソコン１０に設置すると、ノートパソコン１０の製造がより簡単になり、同時にノートパソコン１０の厚みを下げ、薄型化の目的を達成する。
【００３２】
図９、１０は、本考案の他の一実施例分解及び図９の側断面指示図である。図に示すとおり、当実施例が提示する薄膜タッチキーボード２０は、該第一透明層２１の第一背面２１２上に複数の第三センサーブロック２１７、第四センサーブロック２１８をプリントし、各第三センサーブロック２１７が電気連結すると、該第三センサーブロック２１７、第四センサーブロック２１８によって第一電極ブロック２１４に取って代わる。第三電極ブロック２１６及び第二電極ブロック２２３は該キーパッド・アイコン１４及びセンサーキー・アイコン１６上に対応し、複数本の伝送線２１７aを連結する。ノートパソコンの薄膜タッチキーボード２０を製造する時、第二透明層２２の製造の時間、工程、コストを省くことができ、該キーパッド・アイコン１４に容量性タッチセンサーを形成し、製造が更に簡易になる。
【００３３】
上述は、本考案の良好な実施例にすぎず、本考案の実施範囲を制限するものではない。拠って、本考案の請求範囲と同じ変化と修飾は、全て本考案の範囲に属するものとする。
【符号の説明】
【００３４】
１    パネル
１０    ノートパソコン
１１    第一表面
１２    第二表面
１３    ホットキー(Hot key)アイコン
１４    キーパッド・アイコン
１５    カーソルコントロール・アイコン
１６    センサーキー・アイコン(左、右キー・アイコン)
１７    タッチ層
２    センサー層
２０    薄膜タッチキーボード
２１    透明層
２１１    第一正面
２１２    第一背面
２１３    第一センサーブロック
２１３ａ  伝送線
２１４    第一電極ブロック
２１４ａ  信号伝送線
２１５    第二センサーブロック
２１６    第三電極ブロック
２１７ａ  電送線
２２    第二透明層
２２１    第二正面
２２２    第二背面
２２３    第二電極ブロック
２２４    信号伝送線
２２５    凸体
３    バックライト層
３１    発光部品
３１１    第一発光部品
３２    電源伝送線
３２１    第二発光部品
４    底層
【図１】
0003171486.tif 000003
【図２】
0003171486.tif 000004
【図３】
0003171486.tif 000005
【図４】
0003171486.tif 000006
【図５】
0003171486.tif 000007
【図６】
0003171486.tif 000008
【図７】
0003171486.tif 000009
【図８】
0003171486.tif 000010
【図９】
0003171486.tif 000011
【図１０】
0003171486.tif 000012